(57)【要約】【課題】用紙属性が異なる用紙銘柄のメディアであっても、ＡＣＣ又はＡＰＳを行うことができるようにすることを目的とする。【解決手段】用紙属性を設定する設定手段と、給紙段から用紙がなくなったことが検知された場合、用紙の複数の用紙属性のうち設定手段により設定された用紙属性以外の用紙属性が合致する用紙の給紙段を切り替え対象の給紙段に決定する決定手段と、を有することによって課題を解決する。【選択図】図９
2016126212.tif 000002
【特許請求の範囲】
【請求項１】
用紙属性を設定する設定手段と、
給紙段から用紙がなくなったことが検知された場合、前記用紙の複数の用紙属性のうち前記設定手段により設定された前記用紙属性以外の用紙属性が合致する用紙の給紙段を切り替え対象の給紙段に決定する決定手段と、
を有する画像処理装置。
【請求項２】
用紙属性を設定する設定手段と、
ジョブが投入されたことが検知された場合、前記ジョブに設定されている複数の用紙属性のうち前記設定手段により設定された前記用紙属性以外の用紙属性が合致する用紙の給紙段を前記ジョブで給紙する給紙段に決定する決定手段と、
を有する画像処理装置。
【請求項３】
前記決定手段は、給紙段から用紙がなくなったことが検知された場合、前記給紙段の用紙タイプと比較対象の給紙段の用紙タイプとが一致するか否かを判定し、用紙タイプが一致すると判定した場合、前記用紙の複数の用紙属性のうち前記設定手段により設定された前記用紙属性以外の用紙属性が合致する用紙の給紙段を検索し、検索した結果、前記給紙段が存在する場合、前記給紙段を切り替え対象の給紙段に決定する請求項１記載の画像処理装置。
【請求項４】
前記決定手段は、ジョブが投入されたことが検知された場合、前記ジョブに設定されている用紙属性の用紙タイプと比較対象の給紙段の用紙タイプとが一致するか否かを判定し、用紙タイプが一致すると判定した場合、前記ジョブに設定されている複数の用紙属性のうち前記設定手段により設定された前記用紙属性以外の用紙属性が合致する用紙の給紙段を検索し、検索した結果、前記給紙段が存在する場合、前記給紙段を切り替え対象の給紙段に決定する請求項２記載の画像処理装置。
【請求項５】
前記設定手段は、設定画面を介したユーザの設定操作に応じて前記用紙属性を設定する請求項１乃至４何れか１項記載の画像処理装置。
【請求項６】
画像処理装置が実行する情報処理方法であって、
用紙属性を設定する設定ステップと、
給紙段から用紙がなくなったことが検知された場合、前記用紙の複数の用紙属性のうち前記設定ステップにより設定された前記用紙属性以外の用紙属性が合致する用紙の給紙段を切り替え対象の給紙段に決定する決定ステップと、
を含む情報処理方法。
【請求項７】
画像処理装置が実行する情報処理方法であって、
用紙属性を設定する設定ステップと、
ジョブが投入されたことが検知された場合、前記ジョブに設定されている複数の用紙属性のうち前記設定ステップにより設定された前記用紙属性以外の用紙属性が合致する用紙の給紙段を前記ジョブで給紙する給紙段に決定する決定ステップと、
を含む情報処理方法。
【請求項８】
コンピュータに、
用紙属性を設定する設定ステップと、
給紙段から用紙がなくなったことが検知された場合、前記用紙の複数の用紙属性のうち前記設定ステップにより設定された前記用紙属性以外の用紙属性が合致する用紙の給紙段を切り替え対象の給紙段に決定する決定ステップと、
を実行させるためのプログラム。
【請求項９】
コンピュータに、
用紙属性を設定する設定ステップと、
ジョブが投入されたことが検知された場合、前記ジョブに設定されている複数の用紙属性のうち前記設定ステップにより設定された前記用紙属性以外の用紙属性が合致する用紙の給紙段を前記ジョブで給紙する給紙段に決定する決定ステップと、
を実行させるためのプログラム。
【請求項１０】
前記決定ステップでは、給紙段から用紙がなくなったことが検知された場合、前記給紙段の用紙タイプと比較対象の給紙段の用紙タイプとが一致するか否かを判定し、用紙タイプが一致すると判定した場合、前記用紙の複数の用紙属性のうち前記設定ステップにより設定された前記用紙属性以外の用紙属性が合致する用紙の給紙段を検索し、検索した結果、前記給紙段が存在する場合、前記給紙段を切り替え対象の給紙段に決定する請求項８記載のプログラム。
【請求項１１】
前記決定ステップでは、ジョブが投入されたことが検知された場合、前記ジョブに設定されている用紙属性の用紙タイプと比較対象の給紙段の用紙タイプとが一致するか否かを判定し、用紙タイプが一致すると判定した場合、前記ジョブに設定されている複数の用紙属性のうち前記設定ステップにより設定された前記用紙属性以外の用紙属性が合致する用紙の給紙段を検索し、検索した結果、前記給紙段が存在する場合、前記給紙段を切り替え対象の給紙段に決定する請求項９記載のプログラム。
【請求項１２】
前記設定ステップでは、設定画面を介したユーザの設定操作に応じて前記用紙属性を設定する請求項８乃至１１何れか１項記載のプログラム。
【発明の詳細な説明】
【技術分野】
【０００１】
本発明は、画像処理装置、情報処理方法及びプログラムに関する。
【背景技術】
【０００２】
画像処理装置は、普通紙や再生紙といった一般的にオフィスで用いられる紙以外に、近年は坪量が非常に重い厚紙、紙の表面が平滑ではない和紙やベラム紙、又は紙ではないフィルム等、多種多様なメディアに印刷を行うことができるようになった。このようなメディアに印刷を行うときは、そのメディアの特徴に従って印刷工程を細かく制御する必要がある。そのため、用紙の属性を細かく定義する用紙銘柄と呼ぶ技術が既に導入されている。
近年、更に最適な印刷を行うために、用紙銘柄で定義される用紙属性が増えたり細分化されたりしている。例えば、紙の表裏に印刷される画像の位置を調整するための属性として画像位置調整が用紙銘柄に追加されている。
【先行技術文献】
【特許文献】
【０００３】
【特許文献１】特開２００７−６５１７０号公報
【発明の概要】
【発明が解決しようとする課題】
【０００４】
画像位置調整値は、紙が給紙段から画像形成部まで搬送される経路に影響を受ける。そのため、画像位置調整値は、紙の厚さや表面の凹凸性、サイズだけでなく、どの給紙段から給紙されるのかによっても変わってくる。例えば、普通紙と厚紙とで画像位置調整値は異なり、同じ坪量でも表面が普通の用紙である普通紙と滑らかなコート紙とでも異なる。また、同じ普通紙でも、給紙段１から給紙するときと給紙段２から給紙するときとでも異なる。これらの条件ごとに画像位置調整の値を定めた用紙を用紙銘柄で定義することで、画像位置調整を最適に制御できる。
しかし、このように画像位置調整を条件ごとに定義すると、それら定義された用紙は用紙銘柄においては個別の紙として扱われる。例えば、同じ普通紙で給紙段１から給紙する場合の画像位置調整を持つ紙（紙１と呼ぶ）と、給紙段２から給紙する場合の画像位置調整を持つ紙（紙２と呼ぶ）とでは別の紙として扱われる。そのため、紙１から紙２へＡＣＣ（オートカセットチェンジ：給紙段から紙が無くなると、別の給紙段のうち同じ用紙が給紙されている給紙段から給紙を継続する機能）が働かない問題があった。
本発明は、用紙属性が異なる用紙銘柄のメディアであっても、ＡＣＣ（Ａｕｔｏ  Ｃａｓｓｅｔｔｅ  Ｃｈａｎｇｅ）又はＡＰＳ（Ａｕｔｏ  Ｐａｐｅｒ  Ｓｅｌｅｃｔ）を行うことができるようにすることを目的とする。
【課題を解決するための手段】
【０００５】
そこで、本発明の画像処理装置は、用紙属性を設定する設定手段と、給紙段から用紙がなくなったことが検知された場合、前記用紙の複数の用紙属性のうち前記設定手段により設定された前記用紙属性以外の用紙属性が合致する用紙の給紙段を切り替え対象の給紙段に決定する決定手段と、を有する。
また、本発明の画像処理装置は、用紙属性を設定する設定手段と、ジョブが投入されたことが検知された場合、前記ジョブに設定されている複数の用紙属性のうち前記設定手段により設定された前記用紙属性以外の用紙属性が合致する用紙の給紙段を前記ジョブで給紙する給紙段に決定する決定手段と、を有する。
【発明の効果】
【０００６】
本発明によれば、用紙属性が異なる用紙銘柄のメディアであっても、ＡＣＣ又はＡＰＳを行うことができるようにすることができる。
【図面の簡単な説明】
【０００７】
【図１】画像処理装置のハードウェア構成の一例を示す図である。
【図２】コントローラ装置の機能構成の一例を示す図である。
【図３】用紙銘柄テーブルの一例を示す図である。
【図４】用紙銘柄テーブルで示した用紙が給紙段１に給紙された場合の一例を示す図である。
【図５】画像位置調整の設定を行う画面の一例を示す図である。
【図６】用紙属性対象設定テーブルに対する情報処理の一例を示すフローチャートである。
【図７】用紙属性対象設定画面の一例を示す図である。
【図８】用紙属性対象設定テーブルの一例を示す図である。
【図９】ＡＣＣの判定処理の一例を示すフローチャートである。
【図１０】ＡＣＣ／ＡＰＳ判定作業テーブルの一例を示す図である。
【図１１】ＡＰＳの判定処理の一例を示すフローチャートである。
【図１２】ジョブ属性作業テーブルの一例を示す図である。
【図１３】ＡＣＣの判定処理の一例を示すフローチャートである。
【図１４】ＡＣＣ／ＡＰＳ判定作業テーブルの一例を示す図である。
【図１５】ＡＰＳの判定処理の一例を示すフローチャートである。
【図１６】ジョブ属性作業テーブルの一例を示す図である。
【発明を実施するための形態】
【０００８】
以下、本発明の実施形態について図面に基づいて説明する。
【０００９】
＜実施形態１＞
図１は、画像処理装置のハードウェア構成の一例を示す図である。画像処理装置２００は、コントローラ装置２１０、表示／操作装置２２０、記憶装置２３０、スキャナー装置２４０、プリンタ装置２５０から構成される。コントローラ装置２１０は、その他の装置と接続され画像処理装置の全体を制御する。表示／操作装置２２０は、主にタッチパネル式の液晶画面で構成され、情報を表示したり、ユーザ操作に応じて情報を入力したりする。記憶装置２３０は、主にＨＤＤやＦｌａｓｈメモリで構成され電源がオフになっても消えない記憶領域を提供する。スキャナー装置２４０は、紙をスキャンする機能を提供する。プリンタ装置２５０は、紙にトナーやインク等の物質を定着させ印刷物を生成する機能を提供する。
コントローラ装置２１０は、ＣＰＵ２１１、ＲＯＭ２１２、ＲＡＭ２１３、表示／操作装置Ｉ／Ｆ部２１４、記憶装置Ｉ／Ｆ部２１５、プリンタ装置Ｉ／Ｆ部２１６、ネットワークＩ／Ｆ部２１７、スキャナー装置Ｉ／Ｆ部２１８から構成される。表示／操作装置Ｉ／Ｆ部２１４、記憶装置Ｉ／Ｆ部２１５、プリンタ装置Ｉ／Ｆ部２１６、ネットワークＩ／Ｆ部２１７、スキャナー装置Ｉ／Ｆ部２１８のハードウェアは、例えば一般的にはチップセットと呼ばれるＬＳＩ等で実現される。複数の機能部を一つのチップセットで実現する場合もある。表示／操作装置２２０は表示／操作装置Ｉ／Ｆ部２１４を介して、記憶装置２３０は記憶装置Ｉ／Ｆ部２１５を介してコントローラ装置２１０と接続され、コントローラ装置２１０から制御される。
ＣＰＵ２１１がＲＯＭ２１２又は記憶装置２３０に記憶されたプログラムに基づき処理を実行することにより、後述する図２に示すコントローラ装置２１０の機能及び後述するフローチャートの処理が実現される。
表示／操作装置Ｉ／Ｆ部２１４は、ユーザに対して画像処理装置２００上で動作するソフトウェアの処理状況を表示／操作装置２２０に表示したり、表示／操作装置２２０を介してユーザからの操作指示を受け付けたりする。記憶装置Ｉ／Ｆ部２１５は、ファイルやデータを記憶装置２３０に記憶する。スキャナー装置Ｉ／Ｆ部２１８は、スキャナー装置２４０に対する制御を行い、読み取った画像をコントローラ装置２１０に取り込む。プリンタ装置Ｉ／Ｆ部２１６は、プリンタ装置２５０に対する印刷用データを送信する。
【００１０】
プリンタ装置２５０は、ＣＰＵ２５１、ＲＯＭ２５２、ＲＡＭ２５３、コントローラ装置Ｉ／Ｆ部２６６、記憶装置２５５、給紙段１給紙センサ２６１、給紙段２給紙センサ２６２・・・給紙段Ｎ給紙センサ２６Ｎから構成される。
ＣＰＵ２５１がＲＯＭ２５２又は記憶装置２５５に記憶されたプログラムに基づき処理を実行することによりプリンタ装置２５０の機能等が実現される。なお、記憶装置２５５はＦｌａｓｈメモリ等が用いられる。記憶装置２３０が比較的大容量の記憶領域が求められるため、コントローラ装置２１０に対して外付けの記憶装置が用意される。一方、記憶装置２５５は比較的小容量の記憶領域が求められるため、プリンタ装置２５０に内蔵できる記憶装置が用意される。ＣＰＵ２５１は、用紙属性に応じてトナーを定着する温度を上げ下げしたり、用紙の搬送経路において用紙がまっすぐ搬送されるように制御したり、印刷に関係する多様な制御を行う。各給紙段には給紙した用紙が無くなっていないかどうかを判定するセンサ、給紙段１給紙センサ２６１、給紙段２給紙センサ２６２・・・給紙段Ｎ給紙センサ２６Ｎが取り付けられている。ＣＰＵ２５１は、このセンサにより給紙段の用紙の残量や紙が無くなったことを検知する。なお、印刷にはインクジェットや電子写真方式等色々な方式があるが、本実施形態ではどの方式でもよい。
【００１１】
図２は、コントローラ装置２１０の機能構成の一例を示す図である。図２に示される用紙銘柄データベース３０１、給紙段設定データベース３０２、用紙属性対象データベース３０３、ＡＣＣ／ＡＰＳ判定データベース３０４は、例えば記憶装置２３０に構築される。用紙銘柄データベース３０１には、後述する図３の用紙銘柄テーブル４０１が格納される。給紙段設定データベース３０２には、後述する図４の給紙段設定テーブル５０１が格納される。用紙属性対象データベース３０３には、後述する図８の用紙属性対象設定テーブル７０１が格納される。ＡＣＣ／ＡＰＳ判定データベース３０４には、後述する図１０のＡＣＣ／ＡＰＳ判定作業テーブル８０１が格納される。
各種データベースに対して処理を行う処理部として、用紙銘柄処理部３２１、給紙段設定処理部３２２、ＡＣＣ／ＡＰＳ判定処理部３２３がある。用紙銘柄処理部３２１は、背景技術で説明した用紙銘柄の処理を行う。
【００１２】
図３は、用紙銘柄テーブル４０１の一例を示す図である。図３の用紙銘柄テーブル４０１では、ある用紙のデータの一例を示している。図３の例では坪量４０３、表面性４０４、特徴４０５の値４１３、４１４、４１５はそれぞれ８５、上質紙、なし（特別な特徴がないということ）である。また、用紙属性のうち画像位置調整４０７の値４１７は（＋０．１，−０．２，＋０．５，−０．３，＋０．０１，＋０．０３，−０．０５，＋０．０８）であり、用紙名称４０２の値４１２として「普通紙＿給紙段１調整済み」が設定されている。この例では、画像位置調整の属性値が設定されている。課題で説明したように、画像位置調整は給紙段によって異なるので、給紙段１に合わせた調整値が設定され、用紙の名称は、画像位置調整を給紙段１用に設定していることが分かるような名称「普通紙＿給紙段１調整済み」とされている。このように、ある１つの用紙は１つのテーブルとして作成されている。用紙が複数あれば、このテーブルが用紙の数だけある。新規に用紙が作成された場合は、用紙銘柄処理部３２１は、作成された用紙に対応して用紙銘柄テーブル４０１を新規に作成する。既存の用紙の属性値が変更された場合は、用紙銘柄処理部３２１は、属性値の変更に対応して既存の用紙銘柄テーブル４０１を変更し保存する。
ユーザがある給紙段にある用紙が給紙されていることを設定した場合、給紙段設定処理部３２２は、該当する用紙銘柄テーブル４０１の属性値を給紙段設定テーブル５０１の該当する給紙段にコピーする。
【００１３】
図４は、図３の用紙銘柄テーブル４０１で示した用紙が給紙段１に給紙された場合の一例を示す図である。図４において給紙段１を示す列５１０に、図３の「普通紙＿給紙段１調整済み」用紙のテーブル値がコピーされている。
更に、給紙段設定処理部３２２は、給紙段設定テーブル５０１の値をプリンタ装置Ｉ／Ｆ部２１６を介してＣＰＵ２５１に送信する。これによって、ＣＰＵ２５１が該当する給紙段に給紙されている用紙に対し、該当する用紙銘柄テーブル４０１で設定されている用紙属性に従った処理を行うことができる。以上の用紙銘柄の処理は、既に導入されているものである。なお、給紙段設定テーブル５０１は、給紙段ごとに値を設定するテーブルになっているが、図４は給紙段１と給紙段Ｎとのみを表示し、その他の給紙段に関しては表示を省略している。
【００１４】
図５は、画像位置調整の設定を行う画面の一例を示す図である。ユーザは画像位置調整の設定画面６０１において先端レジと左端レジとに関しそのオモテ面とウラ面とのそれぞれの調整値を設定する。ユーザは設定値を６１１から６１４までのスペースに入力する。更に、ユーザは用紙の搬送方向に対し平行と直行との方向に対する拡大縮小の倍率をオモテ面とウラ面とのそれぞれの調整値を設定する。ユーザは設定値を６１５から６１８までのスペースに入力する。これら合計８つの調整値がユーザによって設定されると、用紙銘柄テーブル４０１の画像位置調整４０７の値４１７に保存される。
【００１５】
次に、図６、９、１１のフローチャートを用いて、各種データベースに対して各種処理部がどのような処理を行うかを説明する。
図６のフローチャートは、ＡＣＣ／ＡＰＳ判定処理部３２３が用紙属性対象設定テーブル７０１に対する情報処理を説明するものである。
Ｓ９０１において、ＡＣＣ／ＡＰＳ判定処理部３２３は、図６に示す処理を開始する。
Ｓ９０２において、ＡＣＣ／ＡＰＳ判定処理部３２３は、図７に示す用紙属性対象設定画面１０１を、表示／操作装置Ｉ／Ｆ部２１４を介して表示／操作装置２２０に表示させる。用紙属性対象設定画面１０１は、ＡＣＣ／ＡＰＳ判定時に、用紙銘柄の用紙属性のうち判定に考慮されない用紙属性を設定する画面である。用紙属性対象設定画面１０１には、用紙属性を列挙し表示する部分１１１、その用紙属性の一つ一つに対応し判定に考慮するかしないかを設定する設定ボタン１１２がある。用紙属性の項目は、用紙銘柄テーブル４０１の項目４０２〜４０７と対応している。図３ではクリープ（ずれ）補正量の調整４０６と画像位置調整４０７とだけを図示しているが、図７ではこれら以外の用紙属性を例示している。用紙属性の項目が多ければ、ユーザは次ページを表示するボタン１０６や前ページを表示するボタン１０７を用いて画面を遷移させる。なお、用紙銘柄テーブル４０１には存在するが、図７の用紙属性を列挙し表示する部分１１１には表示されない項目として、用紙名称４０２、坪量４０３、表面性４０４、特徴４０５がある。用紙名称４０２に関しては、名称が異なっても用紙属性が同じなら同じ用紙でありＡＣＣ／ＡＰＳの対象となるので、わざわざユーザに対象とすべきかどうかを設定させる必要はない。逆に、坪量４０３、表面性４０４、特徴４０５に関しては、これらが異なると別の用紙として処理されるのでＡＣＣ／ＡＰＳの対象にはならない。これもわざわざユーザに対象とすべきかどうかを設定させる必要はない。以上より、これらは図７の用紙属性を列挙し表示する部分１１１には表示されない。
なお、コントローラ装置２１０は、同じ用紙かどうかを判断するとき、坪量４０３の範囲を見ることがある。これは、坪量が８５の用紙と８６の用紙とは、同じ用紙と見なしてプリンタ装置における制御を同じとできるからである。同じ用紙と見なすことができる坪量４０３は有る程度の範囲がある。よって、コントローラ装置２１０は、坪量４０３の値が設定された範囲に入っていれば、坪量４０３を異なると判断せず、同じと判断する。
【００１６】
図７では画像位置調整に対応する設定ボタン１１２が選択されている状態を示している。このようにして、考慮しない用紙属性の設定が終わればユーザはＯＫボタン１０４を押下する。また、設定を行わないならユーザはキャンセルボタン１０５を押下する。ＯＫボタン１０４又はキャンセルボタン１０５が押下されると、Ｓ９０３において、ＡＣＣ／ＡＰＳ判定処理部３２３は、用紙属性対象設定画面１０１が閉じられたことを検知する。
次に、Ｓ９０４において、ＡＣＣ／ＡＰＳ判定処理部３２３は、用紙属性対象設定テーブル７０１の処理を行う。図８は、用紙属性対象設定テーブル７０１の一例を示す図である。用紙属性対象設定テーブル７０１は、図７の用紙属性対象設定画面１０１で選択された用紙属性を記憶するテーブルである。用紙属性対象設定テーブル７０１の項目は用紙銘柄テーブル４０１の項目と１対１で対応している。ＡＣＣ／ＡＰＳ判定処理部３２３は、図７の用紙属性対象設定画面１０１における設定内容を、用紙属性対象設定テーブル７０１の値の欄に設定する。例えば、図７では画像位置調整のみ選択されている。ＡＣＣ／ＡＰＳ判定処理部３２３は、この画像位置調整の値７１７を「０」に、他の項目は「１」と設定する。「０」はＡＣＣ／ＡＰＳ判定時に考慮しないことを、「１」は考慮することを示す。なお、上記で説明したように用紙名称７０２、坪量７０３、表面性７０４、特徴７０５はユーザが設定することなく自明であり、それらの値は７１２から７１５までに示される値となる。
次に、Ｓ９０５において、ＡＣＣ／ＡＰＳ判定処理部３２３は、処理した用紙属性対象設定テーブル７０１を用紙属性対象データベース３０３に保存する。
保存した場合、Ｓ９０６において、ＡＣＣ／ＡＰＳ判定処理部３２３は、図６に示す処理を終了する。
【００１７】
図９のフローチャートは、ＡＣＣ／ＡＰＳ判定処理部３２３が行うＡＣＣの判定処理を説明するものである。ＡＣＣとは、画像処理装置で処理されているジョブが給紙している用紙がその給紙段から無くなったとき、その給紙段から無くなった用紙の用紙属性と合致する用紙を他の給紙段に給紙されている用紙から検出し、給紙する給紙段を切り替える機能である。即ち、ＡＣＣは、いわゆる紙なしが発生したとき、その給紙段から無くなった用紙の用紙属性と合致する用紙を他の給紙段に給紙されている用紙から検出し、給紙する給紙段を切り替える機能である。
【００１８】
Ｓ１００１において、ＡＣＣ／ＡＰＳ判定処理部３２３は、処理を開始する。
紙なしが発生すると、Ｓ１００２において、ＡＣＣ／ＡＰＳ判定処理部３２３は、どの給紙段において紙が無くなったかを検知する。
次に、Ｓ１００３において、ＡＣＣ／ＡＰＳ判定処理部３２３は、ＡＣＣ／ＡＰＳ判定作業テーブル８０１を作成する。この処理では、ＡＣＣ／ＡＰＳ判定処理部３２３は、給紙段設定データベース３０２から給紙段設定テーブル５０１を取得し、用紙属性対象データベース３０３から用紙属性対象設定テーブル７０１を取得する。ＡＣＣ／ＡＰＳ判定処理部３２３は、用紙属性対象設定テーブル７０１の値を給紙段設定テーブル５０１の各給紙段の値とのＡＮＤを計算し、ＡＣＣ／ＡＰＳ判定作業テーブル８０１に格納する。
【００１９】
図１０は、ＡＣＣ／ＡＰＳ判定作業テーブル８０１の一例を示す図である。
例えば、用紙属性対象設定テーブル７０１では用紙名称７０２の値は「０」７１２なので、給紙段設定テーブル５０１の給紙段１の名称である「普通紙＿給紙段１調整済み」とＡＮＤを取ると「０」となる。ＡＣＣ／ＡＰＳ判定処理部３２３は、これをＡＣＣ／ＡＰＳ判定作業テーブル８０１の給紙段１  ８１０の用紙名称８０２の値として入力する。
用紙属性対象設定テーブル７０１では坪量７０３値は「１」７１３なので、給紙段設定テーブル５０１の給紙段１の坪量の値である「８５」とＡＮＤを取ると「８５」となる。ＡＣＣ／ＡＰＳ判定処理部３２３は、これをＡＣＣ／ＡＰＳ判定作業テーブル８０１の給紙段１  ８１０の坪量８０３の値として入力する。
同様に、画像位置調整についても、用紙属性対象設定テーブル７０１では画像位置調整７０７の値は「０」７１７である。したがって、給紙段設定テーブル５０１の給紙段１の画像位置調整である「（＋０．１，−０．２，＋０．５，−０．３，＋０．０１，＋０．０３，−０．０５，＋０．０８）」とＡＮＤを取ると「０」となる。ＡＣＣ／ＡＰＳ判定処理部３２３は、これをＡＣＣ／ＡＰＳ判定作業テーブル８０１の給紙段１  ８１０の画像位置調整８０７の値として入力する。なお、給紙段設定テーブル５０１で設定されていない用紙属性、図４ではクリープ（ずれ）補正量の調整５０６は「設定値なし」である。これは「０」とＡＮＤを取ると「０」となり、「１」とＡＮＤを取ると「設定値なし」となる。以上のようにして、ＡＣＣ／ＡＰＳ判定処理部３２３は、ＡＣＣ／ＡＰＳ判定作業テーブル８０１を作成する。
【００２０】
次に、ＡＣＣ／ＡＰＳ判定処理部３２３は、紙なしが発生した給紙段と同じ用紙がＡＣＣ／ＡＰＳ判定作業テーブル８０１に存在するかどうかを判定する。まず、Ｓ１００４において、ＡＣＣ／ＡＰＳ判定処理部３２３は、Ｓ１００２で検知した紙なしが発生した給紙段を比較基準給紙段として決定する。
次に、Ｓ１００５において、ＡＣＣ／ＡＰＳ判定処理部３２３は、ＡＣＣ／ＡＰＳ判定作業テーブル８０１のＮ番目の給紙段の用紙属性値と比較基準給紙段の用紙属性値とが同じかどうか比較する。このとき、ＡＣＣ／ＡＰＳ判定処理部３２３は、複数ある給紙段を予め定めた順番で比較を行う。図９においてＮは１から始まり存在する給紙段の数まで、かつ、比較基準給紙段は除いた数字である。Ｎ番目の給紙段は、比較対象の給紙段の一例である。
Ｓ１００６において、ＡＣＣ／ＡＰＳ判定処理部３２３は、比較した結果、Ｎ番目の給紙段の用紙属性値と比較基準給紙段の用紙属性値とが同じかどうかを判定する。ＡＣＣ／ＡＰＳ判定処理部３２３は、一致すると判定した場合、Ｓ１００７へ処理を進め、違うと判定した場合、Ｓ１００９へ処理を進める。
Ｓ１００７において、ＡＣＣ／ＡＰＳ判定処理部３２３は、そのＮ番目の給紙段をＡＣＣの切替え対象の給紙段に決定する。そして、ＡＣＣ／ＡＰＳ判定処理部３２３は、Ｓ１００８に処理を進める。
【００２１】
一方、Ｓ１００９において、ＡＣＣ／ＡＰＳ判定処理部３２３は、Ｓ１００５で比較したＮ番目が最後の給紙段であるかどうか判定する。ＡＣＣ／ＡＰＳ判定処理部３２３は、Ｓ１００９で最後の給紙段と比較したと判定した場合、Ｓ１０１０へ処理を進める。
Ｓ１０１０において、ＡＣＣ／ＡＰＳ判定処理部３２３は、比較基準給紙段と同じ用紙属性値を持つ給紙段がないので、ＡＣＣが出来ないと判断する。そして、ＡＣＣ／ＡＰＳ判定処理部３２３は、Ｓ１００８に処理を進める。
一方、ＡＣＣ／ＡＰＳ判定処理部３２３は、Ｓ１００９で最後の給紙段と比較していないと判定した場合、Ｓ１０１１へ進を進める。
Ｓ１０１１において、ＡＣＣ／ＡＰＳ判定処理部３２３は、Ｎを１つ増加させる。そして、ＡＣＣ／ＡＰＳ判定処理部３２３は、Ｓ１００５へ処理を進め、次の給紙段を対象に同じように比較する。ＡＣＣ／ＡＰＳ判定処理部３２３は、これを比較基準給紙段以外の全給紙段を対象に行い、ＡＣＣ対象の給紙段を決定する。これらの処理は、検索の処理の一例である。
Ｓ１００８において、ＡＣＣ／ＡＰＳ判定処理部３２３は、図９に示す処理を終了する。
【００２２】
このフローチャートのように処理を行えば、用紙属性対象設定画面１０１におけるユーザの設定操作に応じて設定された用紙属性を除外して、即ち、前記用紙属性以外の要旨属性でＡＣＣ判定処理を行うことができる。即ち、ＡＣＣ判定処理において、用紙属性対象設定画面１０１で設定した用紙属性を考慮せずに判定することができる。
【００２３】
次に、図１１のフローチャートは、ＡＣＣ／ＡＰＳ判定処理部３２３が行うＡＰＳの判定処理を説明するものである。なお、ＡＰＳとは、画像処理装置にジョブが投入されたとき、ジョブに設定されている用紙属性と合致する用紙を給紙段に給紙されている用紙から検出する機能である。
Ｓ１１０１において、ＡＣＣ／ＡＰＳ判定処理部３２３は、処理を開始する。
ジョブが投入されると、Ｓ１１０２において、ＡＣＣ／ＡＰＳ判定処理部３２３は、ジョブが投入されたことを検出する。
次に、Ｓ１１０３において、ＡＣＣ／ＡＰＳ判定処理部３２３は、ジョブ属性作業テーブル１２０１を作成する。図１２は、ジョブ属性作業テーブル１２０１の一例を示す図である。この処理では、ＡＣＣ／ＡＰＳ判定処理部３２３は、投入されたジョブがプリントを行う用紙として指定されている用紙の属性をジョブから取得する。ジョブにおける用紙の属性は用紙銘柄テーブル４０１の形式で指定されている。ＡＣＣ／ＡＰＳ判定処理部３２３は、Ｓ１００３と同様に、投入されたジョブの用紙属性と用紙属性対象設定テーブル７０１の値とでＡＮＤを取ってジョブ属性作業テーブル１２０１に格納する。ジョブ属性作業テーブル１２０１が後述する比較における比較基準となる。
Ｓ１１０４において、ＡＣＣ／ＡＰＳ判定処理部３２３は、ＡＣＣ／ＡＰＳ判定作業テーブル８０１を作成する。これは、図９のフローチャートのステップＳ１００３と同じ処理である。
【００２４】
次に、Ｓ１１０５において、ＡＣＣ／ＡＰＳ判定処理部３２３は、投入されたジョブで指定された用紙と同じ用紙がＡＣＣ／ＡＰＳ判定作業テーブル８０１に存在するかどうかを判定する。まず、ＡＣＣ／ＡＰＳ判定処理部３２３は、ジョブ属性作業テーブル１２０１を基準にして、ＡＣＣ／ＡＰＳ判定作業テーブル８０１のＮ番目の給紙段の用紙属性値とジョブ属性作業テーブル１２０１の用紙属性値とが同じかどうか比較する。このとき、ＡＣＣ／ＡＰＳ判定処理部３２３は、複数ある給紙段を予め定めた順番で比較を行う。図１１において、Ｎは１から始まり存在する給紙段の数までの数字である。Ｎ番目の給紙段は、比較対象の給紙段の一例である。
Ｓ１１０６において、ＡＣＣ／ＡＰＳ判定処理部３２３は、比較した結果、同じかどうかを判定する。ＡＣＣ／ＡＰＳ判定処理部３２３は、一致すると判定すると、Ｓ１１０７へ処理を進め、違うと判定すると、Ｓ１１０９へ処理を進める。
Ｓ１１０７において、ＡＣＣ／ＡＰＳ判定処理部３２３は、そのＮ番目の給紙段をそのジョブで給紙する給紙段と決定する。そして、ＡＣＣ／ＡＰＳ判定処理部３２３は、Ｓ１１０８に処理を進める。
【００２５】
一方、Ｓ１１０９において、ＡＣＣ／ＡＰＳ判定処理部３２３は、Ｓ１１０５で比較したＮ番目が最後の給紙段であるかどうか判定する。ＡＣＣ／ＡＰＳ判定処理部３２３は、Ｓ１１０５で比較したＮ番目の給紙段が最後の給紙段であると判定すると、Ｓ１１１０へ処理を進める。
Ｓ１１１０において、ＡＣＣ／ＡＰＳ判定処理部３２３は、比較基準給紙段と同じ用紙属性値を持つ給紙段がないので、ＡＰＳが出来ないと判断する。そして、ＡＣＣ／ＡＰＳ判定処理部３２３は、Ｓ１１０８へ処理を進める。
一方、ＡＣＣ／ＡＰＳ判定処理部３２３は、Ｓ１００９で、Ｓ１１０５で比較したＮ番目が最後の給紙段ではないと判定すると、Ｓ１１１１へ処理を進める。
Ｓ１１１１において、ＡＣＣ／ＡＰＳ判定処理部３２３は、Ｎを１つ増加させる。そして、ＡＣＣ／ＡＰＳ判定処理部３２３は、Ｓ１１０５へ処理を進め、次の給紙段を対象に同じように比較する。ＡＣＣ／ＡＰＳ判定処理部３２３は、これを比較基準給紙段以外の全給紙段を対象に行い、ＡＰＳ対象の給紙段を決定する。これらの処理は、検索の処理の一例である。
Ｓ１１０８において、ＡＣＣ／ＡＰＳ判定処理部３２３は、図１１に示す処理を終了する。
【００２６】
このフローチャートのように処理を行えば、用紙属性対象設定画面１０１で設定した用紙属性を除外して、ＡＰＳ判定処理を行うことができる。即ち、ＡＰＳ判定処理において、用紙属性対象設定画面１０１で設定した用紙属性を考慮せずに判定することができる。
以上より、ユーザが図７に示す設定画面で設定した用紙属性を考慮せずに、ＡＣＣ及びＡＰＳの処理を行うことができる。
【００２７】
＜実施形態２＞
用紙銘柄を導入する前の画像処理装置において、ＡＣＣやＡＰＳの機能は存在している。このとき、用紙タイプには普通紙や再生紙、厚紙、タブ紙という名称の用紙タイプがある。従来、画像処理装置では、この名称ごとにＡＣＣやＡＰＳが出来るかどうかを判定していた。例えば、普通紙に対しては、普通紙と再生紙とがＡＣＣやＡＰＳの対象となるが、厚紙及びタブ紙は対象とならない。また、厚紙に対しては、厚紙のみがＡＣＣやＡＰＳの対象となるが、普通紙、再生紙、タブ紙は対象とならない。このようなＡＣＣやＡＰＳの判断ルールを用いてＡＣＣやＡＰＳが出来るかどうか判断を行うことも可能である。実施形態２では、従来の用紙タイプの値を従来の普通紙、従来の再生紙、従来の厚紙、従来のタブ紙等と呼ぶ。
実施形態２では、この既存のＡＣＣやＡＰＳの機能と融合させた処理方法を、図１３、１５のフローチャートを用いて説明する。
【００２８】
図１３のフローチャートは、ＡＣＣ／ＡＰＳ判定処理部３２３が行うＡＣＣの判定処理を説明するものである。
Ｓ１３０１において、ＡＣＣ／ＡＰＳ判定処理部３２３は、処理を開始する。
紙なしが発生すると、Ｓ１３０２において、ＡＣＣ／ＡＰＳ判定処理部３２３は、どの給紙段において紙が無くなったかを検知する。
次に、Ｓ１３０３において、ＡＣＣ／ＡＰＳ判定処理部３２３は、ＡＣＣ／ＡＰＳ判定作業テーブル８２０を作成する。図１４は、ＡＣＣ／ＡＰＳ判定作業テーブル８２０の一例を示す図である。
次に、Ｓ１３０４において、ＡＣＣ／ＡＰＳ判定処理部３２３は、ＡＣＣ／ＡＰＳ判定作業テーブル８２０の各給紙段の用紙が、どの従来の用紙タイプ８０８に相当するかを判断する。まず、ＡＣＣ／ＡＰＳ判定処理部３２３は、基準の用紙の用紙属性のうち坪量８０３、表面性８０４、特徴８０５の３つの属性のみを用いて、従来の用紙タイプのどの用紙タイプに相当するかを判断する。例えば、図１２のジョブ属性作業テーブル１２０１は坪量が８５、表面性が上質紙、特徴がなしであるので、ＡＣＣ／ＡＰＳ判定処理部３２３は、従来の普通紙に相当すると判断する。また、ＡＣＣ／ＡＰＳ判定処理部３２３は、表面性が上質紙、特徴がなしの用紙であっても坪量が普通紙よりも少し重ければ厚紙、より重ければ超厚紙と判断する。なお、ＡＣＣ／ＡＰＳ判定処理部３２３は、定量的に、坪量が１２５以上なら厚紙、２２０以上なら超厚紙と判断してもよい。また、ＡＣＣ／ＡＰＳ判定処理部３２３は、坪量が８５、表面性が上質紙の用紙であっても特徴がタブ付きならばタブ紙、穴あきならパンチ済み紙と判断する。このように、ＡＣＣ／ＡＰＳ判定処理部３２３は、坪量８０３、表面性８０４、特徴８０５の３つの属性の値の組み合わせと従来の用紙タイプとを１対１で対応させて判断する。そして、ＡＣＣ／ＡＰＳ判定処理部３２３は、判断した従来の用紙タイプを、図１４のＡＣＣ／ＡＰＳ判定作業テーブル８２０の従来の用紙タイプ８０８の行に入力する。図１４のＡＣＣ／ＡＰＳ判定作業テーブル８２０は、図１０で説明したＡＣＣ／ＡＰＳ判定作業テーブル８０１とは、用紙名称８０２から特徴８０５まで及びクリープ（ずれ）補正量の調整８０６や画像位置調整８０７等の用紙属性は同じである。単に、図１４のＡＣＣ／ＡＰＳ判定作業テーブル８２０では、ＡＣＣ／ＡＰＳ判定作業テーブル８０１に従来の用紙タイプ８０８が追加されただけである。
【００２９】
次に、紙なしが発生した給紙段と同じ用紙がＡＣＣ／ＡＰＳ判定作業テーブル８２０に存在するかどうかを判定する。
まず、Ｓ１３０５において、ＡＣＣ／ＡＰＳ判定処理部３２３は、Ｓ１３０２で検知した紙なしが発生した給紙段を比較基準給紙段として決定する。
次に、Ｓ１３０６において、ＡＣＣ／ＡＰＳ判定処理部３２３は、ＡＣＣ／ＡＰＳ判定作業テーブル８２０のＮ番目の給紙段の従来の用紙タイプ８０８と比較基準給紙段の従来の用紙タイプ８０８とが同じかどうか比較する。このとき、ＡＣＣ／ＡＰＳ判定処理部３２３は、複数ある給紙段を予め定めた順番で比較を行う。図１３において、Ｎは１から始まり存在する給紙段の数まで、かつ、比較基準給紙段は除いた数字である。
Ｓ１３０７において、ＡＣＣ／ＡＰＳ判定処理部３２３は、比較した結果、Ｎ番目の給紙段の従来の用紙タイプ８０８と比較基準給紙段の従来の用紙タイプ８０８とが同じかどうかを判定する。ＡＣＣ／ＡＰＳ判定処理部３２３は、一致すると判定した場合、Ｓ１３０８へ処理を進め、違うと判定した場合、Ｓ１３１１へ処理を進める。
Ｓ１３０８において、ＡＣＣ／ＡＰＳ判定処理部３２３は、クリープ（ずれ）補正量の調整８０６や画像位置調整８０７等のその他の全ての用紙属性が同じかどうか比較し、判定する。ＡＣＣ／ＡＰＳ判定処理部３２３は、その他の全ての用紙属性が一致すると判定した場合、Ｓ１３０９へ処理を進め、その他の全ての用紙属性の何れか１つでも違うと判定した場合、Ｓ１３１２へ処理を進める。
Ｓ１３０９において、ＡＣＣ／ＡＰＳ判定処理部３２３は、そのＮ番目の給紙段をＡＣＣの切替え対象の給紙段に決定する。そして、ＡＣＣ／ＡＰＳ判定処理部３２３は、Ｓ１３１０へ処理を進める。
Ｓ１３１０において、ＡＣＣ／ＡＰＳ判定処理部３２３は、図１３に示すフローチャートの処理を終了する。
【００３０】
一方、Ｓ１３１１において、ＡＣＣ／ＡＰＳ判定処理部３２３は、Ｓ１３０６で比較したＮ番目が最後の給紙段であるかどうか判定する。ＡＣＣ／ＡＰＳ判定処理部３２３は、Ｓ１３０６で比較したＮ番目が最後の給紙段であると判定した場合、Ｓ１３１２へ処理を進める。
Ｓ１３１２において、ＡＣＣ／ＡＰＳ判定処理部３２３は、比較基準給紙段と同じ従来の用紙タイプを持つ給紙段がないので、ＡＣＣが出来ないと判断する。そして、ＡＣＣ／ＡＰＳ判定処理部３２３は、Ｓ１３１０へ処理を進める。
一方、Ｓ１３１１でＡＣＣ／ＡＰＳ判定処理部３２３は、Ｓ１３０６で比較したＮ番目が最後の給紙段でないと判断した場合、Ｓ１３１３へ処理を進める。
Ｓ１３１３において、ＡＣＣ／ＡＰＳ判定処理部３２３は、Ｎを１つ増加させる。そして、ＡＣＣ／ＡＰＳ判定処理部３２３は、処理をＳ１３０６へ進め、次の給紙段を対象に同じように比較する。ＡＣＣ／ＡＰＳ判定処理部３２３は、このような処理を、比較基準給紙段以外の全給紙段を対象に行い、ＡＣＣ対象の給紙段を決定する。
【００３１】
このように、一旦従来の用紙タイプを用いて比較判断する方法は、既存の従来の用紙タイプを用いたＡＣＣの判断ロジックを用いることができるため、従来の処理方法との相性が高くなる。
このフローチャートのように処理を行えば、用紙属性対象設定画面１０１で設定した用紙属性を除外して、ＡＣＣ判定処理を行うことができる。即ち、ＡＣＣ判定処理において、用紙属性対象設定画面１０１で設定した用紙属性を考慮せずに判定することができる。
【００３２】
図１５のフローチャートは、ＡＣＣ／ＡＰＳ判定処理部３２３が行うＡＰＳの判定処理を説明するものである。
Ｓ１４０１において、ＡＣＣ／ＡＰＳ判定処理部３２３は、処理を開始する。
ジョブが投入されると、Ｓ１４０２において、ＡＣＣ／ＡＰＳ判定処理部３２３は、ジョブが投入されたことを検知する。
次に、Ｓ１４０３において、ＡＣＣ／ＡＰＳ判定処理部３２３は、ジョブ属性作業テーブル１２２０を作成する。図１６は、ジョブ属性作業テーブル１２２０の一例を示す図である。ジョブ属性作業テーブル１２２０は、図１２のジョブ属性作業テーブル１２０１とは用紙名称１２０２から特徴１２０５及びクリープ（ずれ）補正量の調整１２０６や画像位置調整１２０７等の用紙属性は同じで、従来の用紙タイプ１２０８が追加されている。
Ｓ１４０４において、ＡＣＣ／ＡＰＳ判定処理部３２３は、従来の用紙タイプ１２０８の値を、Ｓ１３０４と同様の方法で判断し、ＡＣＣ／ＡＰＳ判定作業テーブル８２０を作成する。
【００３３】
そしてＳ１４０５において、ＡＣＣ／ＡＰＳ判定処理部３２３は、ＡＣＣ／ＡＰＳ判定作業テーブル８２０の各給紙段の用紙が、どの従来の用紙タイプ８０８に相当するかを判断する。この処理は、実施形態２の図１１のフローチャートのＳ１３０４の処理と同じである。
次に、Ｓ１４０６において、ＡＣＣ／ＡＰＳ判定処理部３２３は、投入されたジョブで指定された用紙と同じ用紙がＡＣＣ／ＡＰＳ判定作業テーブル８２０に存在するかどうかを判定する。まず、ＡＣＣ／ＡＰＳ判定処理部３２３は、ジョブ属性作業テーブル１２２０を基準にして、ＡＣＣ／ＡＰＳ判定作業テーブル８２０のＮ番目の給紙段の従来の用紙タイプ８０８とジョブ属性作業テーブル１２２０の従来の用紙タイプ１２０８とが同じかどうか比較する。このとき、ＡＣＣ／ＡＰＳ判定処理部３２３は、複数ある給紙段を予め定めた順番で比較を行う。図１５において、Ｎは１から始まり存在する給紙段の数までの数字である。
Ｓ１４０７において、ＡＣＣ／ＡＰＳ判定処理部３２３は、比較した結果、Ｎ番目の給紙段の従来の用紙タイプとジョブ属性作業テーブル１２２０の従来の用紙タイプとが同じかどうかを判定する。ＡＣＣ／ＡＰＳ判定処理部３２３は、一致すると判定した場合、Ｓ１４０８に処理を進め、違うと判定した場合、Ｓ１４１１へ処理を進める。
Ｓ１４０８において、ＡＣＣ／ＡＰＳ判定処理部３２３は、クリープ（ずれ）補正量の調整８０６、１２０６や画像位置調整８０７、１２０７等の他の全ての用紙属性が同じかどうか比較し判定する。ＡＣＣ／ＡＰＳ判定処理部３２３は、その他の全ての用紙属性が一致すると判定した場合、Ｓ１４０９へ処理を進め、その他の全ての用紙属性の何れか１つでも違うと判定した場合、Ｓ１４１２へ処理を進める。
Ｓ１４０９において、ＡＣＣ／ＡＰＳ判定処理部３２３は、そのＮ番目の給紙段をそのジョブで給紙する給紙段と決定する。そして、ＡＣＣ／ＡＰＳ判定処理部３２３は、Ｓ１４１０へ処理を進める。
Ｓ１４１０において、ＡＣＣ／ＡＰＳ判定処理部３２３は、図１５に示すフローチャートの処理を終了する。
【００３４】
一方、Ｓ１４１１において、ＡＣＣ／ＡＰＳ判定処理部３２３は、Ｓ１４０６で比較したＮ番目が最後の給紙段であるかどうか判定する。ＡＣＣ／ＡＰＳ判定処理部３２３は、Ｓ１４０６で比較したＮ番目が最後の給紙段であると判定した場合、Ｓ１４１２へ処理を進める。
Ｓ１４１２において、ＡＣＣ／ＡＰＳ判定処理部３２３は、ジョブ属性作業テーブル１２２０の従来の用紙タイプ１２０８と同じ従来の用紙タイプを持つ給紙段がないので、ＡＰＳが出来ないと判断する。そして、ＡＣＣ／ＡＰＳ判定処理部３２３は、Ｓ１４１０へ処理を進める。
一方、Ｓ１４１１でＡＣＣ／ＡＰＳ判定処理部３２３は、Ｓ１４０６で比較したＮ番目が最後の給紙段でないと判断した場合、Ｓ１４１３へ処理を進める。
Ｓ１４１３において、ＡＣＣ／ＡＰＳ判定処理部３２３は、Ｎを１つ増加させる。そして、ＡＣＣ／ＡＰＳ判定処理部３２３は、処理をＳ１４０６へ進め、次の給紙段を対象に同じように比較する。ＡＣＣ／ＡＰＳ判定処理部３２３は、このような処理を、全給紙段を対象に行い、ＡＰＳ対象の給紙段を決定する。
【００３５】
このように、一旦従来の用紙タイプを用いて比較判断する方法は、既存の従来の用紙タイプを用いたＡＰＳの判断ロジックを用いることができるため、従来の処理方法との相性が高くなる。
このフローチャートのように処理を行えば、用紙属性対象設定画面１０１で設定した用紙属性を除外して、ＡＰＳ判定処理を行うことができる。即ち、ＡＰＳ判定処理において、用紙属性対象設定画面１０１で設定した用紙属性を考慮せずに判定することができる。
【００３６】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００３７】
以上、上述した各実施形態によれば、用紙属性が異なる用紙銘柄のメディアであっても、ＡＣＣ又はＡＰＳを行うことができるようにすることができる。
【符号の説明】
【００３８】
２００  画像処理装置、２１０  コントローラ装置、２１１  ＣＰＵ、２３０  記憶装置
【図１】
2016126212.tif 000003
【図２】
2016126212.tif 000004
【図３】
2016126212.tif 000005
【図４】
2016126212.tif 000006
【図５】
2016126212.tif 000007
【図６】
2016126212.tif 000008
【図７】
2016126212.tif 000009
【図８】
2016126212.tif 000010
【図９】
2016126212.tif 000011
【図１０】
2016126212.tif 000012
【図１１】
2016126212.tif 000013
【図１２】
2016126212.tif 000014
【図１３】
2016126212.tif 000015
【図１４】
2016126212.tif 000016
【図１５】
2016126212.tif 000017
【図１６】
2016126212.tif 000018